【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
装置本体と、
前記装置本体に引き出し可能に装着される、用紙を収納するカセットと、
前記カセットの装着を検知する装着センサと、
前記カセットに設けられ、用紙が積載される積載部と、
前記積載部を上昇させるモータと、
前記積載部に積載された用紙を給送する給送ローラと、
前記給送ローラにより給送された用紙に画像を形成する画像形成手段と、
前記積載部に積載されている最上位の用紙が給送位置にあることを検知する紙面センサ
と、
前記積載部に積載されている用紙の有無を検知するための紙有無検知手段と、
前記装着センサによる前記カセットの装着の検知に従って前記モータを駆動して前記積載部の上昇を開始させ、前記積載部に積載されている最上位の用紙が給送位置にあることが前記紙面センサにより検知された場合に前記積載部の上昇を停止させ、前記積載部の上昇が停止した後、前記紙有無検知手段から出力される検知信号に基づいて、前記カセットに収納されている用紙の有無を判断する制御手段と、を有し、
前記紙有無検知手段は、前記装置本体に設けられ、前記カセットの装着に連動して回動する紙有無検知フラグを有しており、
前記装着センサにより前記カセットの装着が検知されない状態から前記装着センサにより前記カセットの装着が検知されるまでの間に、前記紙有無検知手段から出力される検知信号の変化がない場合、前記制御部は前記紙有無検知フラグの故障が発生したと判断することを特徴とする画像形成装置。
【請求項２】
装置本体と、
前記装置本体に引き出し可能に装着される、用紙を収納するカセットと、
前記カセットの装着を検知する装着センサと、
前記カセットに設けられ、用紙が積載される積載部と、
前記積載部を上昇させるモータと、
前記積載部に積載された用紙を給送する給送ローラと、
前記給送ローラにより給送された用紙に画像を形成する画像形成手段と、
前記積載部に積載された最上位の用紙が給送位置にあることを検知する紙面センサと、
前記積載部に積載されている用紙の有無を検知するための紙有無検知手段と、
前記装着センサによる前記カセットの装着の検知に従って前記モータを駆動して前記積載部の上昇を開始させ、前記積載部に積載されている最上位の用紙が給送位置にあることが前記紙面センサにより検知された場合に前記積載部の上昇を停止させ、前記積載部の上昇が停止した後、前記紙有無検知手段から出力される検知信号が第１の検知信号である場合に用紙無と判断し、前記紙有無検知手段から出力される検知信号が第２の検知信号である場合に用紙有と判断する制御手段と、を有し、
前記紙有無検知手段は、前記装置本体に設けられ、前記カセットの装着に連動して回動する紙有無検知フラグを有しており、
前記紙有無検知手段から出力される検知信号が前記第１の検知信号である場合で、且つ前記積載部の上昇を開始してから終了するまでの時間が閾値よりも短い場合、前記制御手段は前記紙有無検知フラグの故障が発生したことを判断することを特徴とする画像形成装置。
【請求項３】
前記カセットが前記装置本体から引き出されたことに伴って、前記給送ローラを前記給送位置から前記給送位置よりも上方にある退避位置に回動させる機構を有し、
前記給送ローラが前記給送位置から前記退避位置に回動した場合に、前記給送ローラを保持するホルダと前記紙有無検知フラグが当接し、前記紙有無検知フラグが前記紙有無検知手段におけるフォトセンサの遮光状態を変化させることを特徴とする請求項１又は２に記載の画像形成装置。
【請求項４】
前記機構は、前記カセットが前記装置本体に装着されたことに伴って、前記給送ローラを前記退避位置から前記給送位置に回動させ、
前記給送ローラが前記退避位置から前記給送位置に回動した場合に、前記ホルダと前記紙有無検知フラグが離間し、前記紙有無検知フラグが前記紙有無検知手段におけるフォトセンサの遮光状態を変化させることを特徴とする請求項３に記載の画像形成装置。
【請求項５】
前記紙有無検知フラグの故障であることを示す情報を表示する表示手段を更に有することを特徴とする請求項１乃至４の何れか１項に記載の画像形成装置。
【請求項６】
前記紙有無検知フラグの故障であることを示す情報を、ネットワークを介して外部装置に送信する送信手段を更に有することを特徴とする請求項１乃至５の何れか１項に記載の画像形成装置。
【請求項７】
前記紙有無検知フラグの故障と判断した場合に、前記画像形成手段の使用を中止させることを特徴とする請求項１乃至６の何れか１項に記載の画像形成装置。
【手続補正２】
【補正対象書類名】明細書
【補正対象項目名】０００９
【補正方法】変更
【補正の内容】
【０００９】
上記目的を達成するために、本発明の給送装置は、装置本体と、前記装置本体に引き出し可能に装着される、用紙を収納するカセットと、前記カセットの装着を検知する装着センサと、前記カセットに設けられ、用紙が積載される積載部と、前記積載部を上昇させるモータと、前記積載部に積載された用紙を給送する給送ローラと、前記給送ローラにより給送された用紙に画像を形成する画像形成手段と、前記積載部に積載されている最上位の用紙が給送位置にあることを検知する紙面センサと、前記積載部に積載されている用紙の有無を検知するための紙有無検知手段と、前記装着センサによる前記カセットの装着の検知に従って前記モータを駆動して前記積載部の上昇を開始させ、前記積載部に積載されている最上位の用紙が給送位置にあることが前記紙面センサにより検知された場合に前記積載部の上昇を停止させ、前記積載部の上昇が停止した後、前記紙有無検知手段から出力される検知信号に基づいて、前記カセットに収納されている用紙の有無を判断する制御手段と、を有し、前記紙有無検知手段は、前記装置本体に設けられ、前記カセットの装着に連動して回動する紙有無検知フラグを有しており、前記装着センサにより前記カセットの装着が検知されない状態から前記装着センサにより前記カセットの装着が検知されるまでの間に、前記紙有無検知手段から出力される検知信号の変化がない場合、前記制御部は前記紙有無検知フラグの故障が発生したと判断することを特徴とする。
【手続補正３】
【補正対象書類名】明細書
【補正対象項目名】００１０
【補正方法】変更
【補正の内容】
【００１０】
また上記目的を達成するために、本発明における他の画像形成装置は、装置本体と、前記装置本体に引き出し可能に装着される、用紙を収納するカセットと、前記カセットの装着を検知する装着センサと、前記カセットに設けられ、用紙が積載される積載部と、前記積載部を上昇させるモータと、前記積載部に積載された用紙を給送する給送ローラと、前記給送ローラにより給送された用紙に画像を形成する画像形成手段と、前記積載部に積載された最上位の用紙が給送位置にあることを検知する紙面センサと、前記積載部に積載されている用紙の有無を検知するための紙有無検知手段と、前記装着センサによる前記カセットの装着の検知に従って前記モータを駆動して前記積載部の上昇を開始させ、前記積載部に積載されている最上位の用紙が給送位置にあることが前記紙面センサにより検知された場合に前記積載部の上昇を停止させ、前記積載部の上昇が停止した後、前記紙有無検知手段から出力される検知信号が第１の検知信号である場合に用紙無と判断し、前記紙有無検知手段から出力される検知信号が第２の検知信号である場合に用紙有と判断する制御手段と、を有し、前記紙有無検知手段は、前記装置本体に設けられ、前記カセットの装着に連動して回動する紙有無検知フラグを有しており、前記紙有無検知手段から出力される検知信号が前記第１の検知信号である場合で、且つ前記積載部の上昇を開始してから終了するまでの時間が閾値よりも短い場合、前記制御手段は前記紙有無検知フラグの故障が発生したことを判断することを特徴とする。